(57)【要約】【課題】  寒冷地域の自然換気システムにおいて、強風雪による換気口の不具合を軽減すると共に、健全な室内空気環境を確保することができる換気システムを提供できる。【解決手段】  少なくとも２以上の階を有する建物の内部に上下に連続する階段室と、前記階段室に水平に連続する居室によって構成される住宅に適用される自然換気システムであって、前記建物に最下階から最上階まで連続する袖壁を設け、前記袖壁の内部には最下階から最上階まで連続する袖壁内空間を有し、前記袖壁の外側に開口したガラリ付き開口部と居室側に開口した室内換気口とを有し、前記袖壁内空間を経由して居室内の換気を行っている。【選択図】図１
2008190844.tif 000002
【特許請求の範囲】
【請求項１】
少なくとも２以上の階を有する建物の内部に上下に連続する階段室と、前記階段室に水平に連続する居室によって構成される住宅に適用される自然換気システムであって、前記建物に最下階から最上階まで連続する袖壁を設け、前記袖壁の内部には最下階から最上階まで連続する袖壁内空間を有し、前記袖壁の外側に開口したガラリ付き開口部と居室側に開口した室内換気口とを有し、前記袖壁内空間を経由して居室内の換気を行うことを特徴とする自然換気システム。
【請求項２】
前記袖壁内空間は、常時ガラリ付き開口部により連通することを特徴とする請求項１に記載の自然換気システム。
【請求項３】
前記袖壁の壁面を構成するガラリを含むユニットを脱着可能に形成したことを特徴とする請求項１および２に記載の自然換気システム。
【発明の詳細な説明】
【技術分野】
【０００１】  本発明は、寒冷地における強風雪を緩和し健全な室内環境を確保するための住宅の自然換気システムに関する。
【背景技術】
【０００２】  従来の住宅用の自然換気システムは、外壁に設けた給気口から直接外気を居室に給気し、住宅の内部に設けた竪穴部を経由して小屋裏に設けたチャンバーに集まり、屋根頂部の棟に設けた換気口から排気するものがある。（特許文献１参照）
また、床下に外気を取り入れ床下に設けた暖房設備で加温した空気を居室内に対流させ、最上階の換気口から排気する暖房を兼ねたものがある。（特許文献２参照）【０００３】  従来技術で例示した特許文献１では、一般的な第３種機械換気と同様、個々の居室に給気口を設け、空間的に連続した換気経路を経由して集約した排気口から排気する形態をとっているが、寒冷地においては寒気の吹き込みや低温の給気を嫌って、給気口を塞ぐ利用者が多く問題となっている。
また、建物外壁面に換気のために多くの突出部をつくることは、外壁の防水性能の面からも好ましいものではない。
いっぽう特許文献２では、前述の実態を踏まえ外気を一旦居住空間ではない床下に給気し、加温してから居室内に送る換気経路をつくっているが、これらの技術に欠落している重要な要素は、居室内に取り入れる空気の質である。
現在の住宅建築における諸規定ならびに建築材料により建設された住宅の土台・床部分は、住宅の耐久性向上の目的で義務付けられた防蟻・防腐薬剤処理と建材の製造過程で使用される接着剤等から揮発する化学物質に汚染されている可能性が高く、ここを通過する空気を居室内に導入することは、安全衛生の面から見て好ましいものではない。
【特許文献１】  特開２００１−２２１４７４
【特許文献２】  特開２００３−１８５２０７
【発明の開示】
【発明が解決しようとする課題】
【０００４】  以上に述べた従来技術は、排気方法にのみ着目した技術や、熱損失の軽減だけに着目した技術等に留まり、実際の利用実態を踏まえた総合的な自然換気技術とはなっておらず、換気本来の目的である健全な室内空気環境の確保が求められる。【０００５】  本発明は、健全な室内空気環境を確保するために部分的な従来技術では果たせない自然換気システムの構築を目的とするものである。
【課題を解決するための手段】
【０００６】  本発明は上記目的を達成するために、少なくとも２以上の階を有する建物の内部に上下に連続する階段室と、前記階段室に水平に連続する居室によって構成される住宅に適用される自然換気システムであって、前記建物に最下階から最上階まで連続する袖壁を設け、前記袖壁の内部には最下階から最上階まで連続する袖壁内空間を有し、前記袖壁の外側に開口したガラリ付き開口部と居室側に開口した室内換気口とを有し、前記袖壁内空間を経由して居室内の換気を行うことを特徴とする。
また、本発明には前記特徴に加えて、前記袖壁内空間を常時ガラリ付き開口部により連通すること、さらに前記袖壁の壁面を構成するガラリを含むユニット（複数の部材で構成する一体の部品）を脱着可能に形成することも含まれる。【０００７】  この自然換気を誘発する動力は建物内外の温度差および風圧力によって生じる差圧であるため、袖壁の設置位置は建物の出隅部分が効果的である。
さらに、建物内部の階段室の様な上下階に連続した空間を利用し、居室と前記空間とを連続させて、下階から上階に上昇する室内空気の移動にともなって下階の袖壁から給気され、最上階の袖壁から排気される換気経路をつくることができる。
【発明の効果】
【０００８】  本発明に係る自然換気システムによれば、従来技術である直接外壁面に換気口を設けた換気システムおよび床下を利用する換気システムに比べ、
（１）利用者が換気口を塞いでしまう原因である寒気の直接の流入や騒音の進入を軽減できる。
（２）外壁面に形成した換気口による突出部を無くすことで外壁の防水性を向上できる。
（３）利用者が誤って給気口を塞ぐことがない。
（４）床下等の汚染空気が居室内に流入することにより発生する室内空気の汚染を防止し、良好な室内環境を維持することができる。
（５）寒冷地の強風雪、過度な風圧による影響を緩和し安定した自然換気を行うことができる。
（６）袖壁の壁面を構成するガラリを含むユニット（複数の部材で構成する一体の部品）を脱着可能に形成することにより、袖壁部の施工を容易にし、袖壁内部の清掃保全が容易に行え、良好な空気の供給を持続させることができる。等の特徴、効果がある。
【発明を実施するための最良の形態】
【０００９】  上述の如く発明したことにより、建物１０に設けられた袖壁内空間１４に流入する外気は、袖壁内空間を移動する際、袖壁の内部で熱の授受を行い、外気温と室温との温度差の影響を緩和するとともに、外気が袖壁内空間に流入し室内換気口から居室内に流入する際の空気抵抗により、前記居室内に流入する空気の速度および屋外の騒音を直接外壁面に換気口を設けた場合に比べ低下させる。
本発明は、従来技術の給気における問題を、袖壁内空間を建物内外の緩衝空間として機能させることにより解決するものである。
【実施例】
【００１０】  以下、本発明の実施の形態を図１〜図４に基づいて説明する。【００１１】  図１において、袖壁１３は、建物１０の四隅の外周部位に設けられ、内部空間を建材等からの揮発成分（揮発性有機化学物質）によって汚染されない構造とし、外気と同程度の空気質（新鮮空気）を維持できる様、各階にガラリ付き開口部１０１−１〜３を有している。
また、ガラリ付き開口部１０１は図３および図４に示すように建物外周線の内側に開放することで、強風による過大な換気を抑制し、室内換気口１０３−１を介して居室１１−１内に健全な空気質の空気が給気される。
なお、本発明の実施例においては、袖壁１３を建物１０の四隅部分に設ける構成として説明するが、全ての四隅部分に設けず、任意の隅部分に設ける構成や、隅部分同士を繋ぐ壁部分に設ける構成とすることも可能である。
前記袖壁１３は、建物１０の四隅に設けられる第１〜第４袖壁１３ａ、１３ｂ、１３ｃ、１３ｄからなる。【００１２】  建物内部空間の居室１１、階段室１２は連続した空間であり、室内の空間で連続しない空間が存在しないように形成するものである。
このように建物内部空間を連通した一つの空間として形成することにより、居室１１−１に流入した新鮮空気は、居室１１−１から階段室１２−２および１２−３を介して上階の居室１１−２および１１−３に流入し、内部空間全体を新鮮空気の流入経路とすることができるものとなる。【００１３】  構造躯体内部に存在する揮発性有機化学物質は、主に階下の土台、床下部分に停滞するが、本発明に係る自然換気システムによれば、床下空間を介さず独立した緩衝空間である袖壁内空間１４を介して新鮮空気を居室１１−１に給気できるために、構造躯体内部に存在する揮発性有機化学物質を居室１１に拡散することがなくなるものである。【００１４】  袖壁１３の壁面を構成するガラリ１０２を含むユニットは複数の部材で構成する一体の部品であり、ボルト・ナット・ビス等の着脱可能な締結具により固定することもでき、これにより袖壁１３内の清掃保全が容易に行えるものである。
また、袖壁の１面をユニットとして着脱可能にすることで、狭小空間である袖壁１３の内壁面の施工も容易に行うことができるものである。【００１５】  本発明に係る自然換気システムの動力は建物内外の温度差および風圧力によって生じる差圧であり、上昇する空気圧により、下階の袖壁１３からガラリ付き開口部１０１−１、室内換気口１０３−１を介して新鮮空気が給気され、温度差により上階へ上昇する新鮮空気が上階の居室１１−２、階段室１２−２を介して上昇し、最後に最上階の居室１１−３の室内換気口１０３−３、ガラリ付き開口部１０１−３を介して汚染された空気を外部に排出する自然換気システムである。なお、最上階以外の居室１１−２にも、室内換気口１０３−２より、袖壁内空間１４を介して新鮮空気が給気されるものである。【００１６】  袖壁１３に形成したガラリ付き開口部１０１−１〜３は、図３および図４に示すように、出隅部分に突出した袖壁１３の入隅部分となる袖壁１３の壁面に形成するものであり、ガラリ付き開口部１０１−１〜３を建物外周線の内側に開放することで、強風による過大な換気を抑制するものである。
なお、本発明に使用するガラリは、雨、雪、虫の進入を防止する機構が備わっているものであり、ガラリを介して外気と連通することにより、袖壁内空間は常に新鮮な空気の状態が保たれる。【００１７】  ここで、自然換気システムの空気の流れについて説明すると、建物内部では、図２に白抜き矢印Ｂ１からＢ３で示すような垂直方向の空気の移動と、図３に白抜き矢印Ａ１からＡ３で示すような水平方向の空気の移動が同時に起こり、室内で汚染された空気は階段室１２を介して上方に移動する。最上階では、図４に白抜き矢印Ａ４からＡ６で示すような排気経路により、室内換気口１０３−３から袖壁内空間１４に排気され、最上階のガラリ付き開口部１０１−３により屋外へ排気される。【００１８】  袖壁内空間１４でも、図１に白抜き矢印で示すような自然対流により換気が行われ、１階、２階のガラリ付き開口部１０１−１、１０１−２より新鮮空気が室内換気口１０３を介して給気されると同時に、最上部の室内換気口１０３−３を介してガラリ付き開口部１０１−３から室内の汚染された空気が屋外へ排気される。【００１９】  本発明に係る袖壁の壁面を構成するガラリを含むユニットの一実施例を図５に示す。
また、本発明に係る室内換気口の一実施例を図６に示す。
【産業上の利用可能性】
【００２０】  本発明は建物内外の温度差と風圧力による差圧を換気の動力としているため、冬期に暖房を必要とする寒冷地域に適した発明である。また、緩衝空間を設けることで、特別な機材を必要とせず、寒気の吹き込み、風雨雪の進入を緩和することができる。
【図面の簡単な説明】
【００２１】
【図１】図３図４の１−１線による外気に対する給排気経路を示す概略断面図
【図２】図３図４の２−２線による建物内部の給排気経路を示す概略断面図
【図３】１〜２階部分の給気経路を示す略図
【図４】最上階部分の排気経路を示す略図
【図５】袖壁の壁面を構成するガラリを含むユニットの一実施例を示す略図
【図６】室内換気口の一実施例を示す略図
【符号の説明】
【００２２】      １０  ‥‥建物
１１  ‥‥居室
１２  ‥‥階段室
１３  ‥‥袖壁
１４  ‥‥袖壁内空間
１０１  ‥‥ガラリ付き開口部
１０２  ‥‥ガラリ
２０１  ‥‥締付具
２０２  ‥‥外壁材
２０３  ‥‥フレーム
１０３  ‥‥室内換気口
１１−１‥‥１階居室
１１−２‥‥２階居室
１１−３‥‥３階居室
１２−１‥‥１階階段室
１２−２‥‥２階階段室
１２−３‥‥３階階段室
１０１−１‥‥１階ガラリ付き開口部
１０１−２‥‥２階ガラリ付き開口部
１０１−３‥‥３階ガラリ付き開口部
１０３−１‥‥１階室内換気口
１０３−２‥‥２階室内換気口
１０３−３‥‥３階室内換気口
【図１】
2008190844.tif 000003
【図２】
2008190844.tif 000004
【図３】
2008190844.tif 000005
【図４】
2008190844.tif 000006
【図５】
2008190844.tif 000007
【図６】
2008190844.tif 000008